(57)【要約】【課題】  本発明は、ディスプレイに表示されたアイコンを基に、ユーザが当該アイコンに対応した操作部と、その機能を特別な学習をすることなく容易に特定可能な電気機器、データ処理方法およびプログラムを提供する。【解決手段】  リモコン３０１とディスプレイ１０１上に表示されるＧＵＩにおいて、文字以外の配置、色および形状の少なくとも一つの特徴を基に、操作部とアイコンとの対応関係を容易に特定できると共に、アイコンを見ることでそのアイコンに割り当てられた機能も即座に特定できる。これにより、ユーザは、マニュアルを見ることなく、容易にコマンドを入力できる。【選択図】      図４
2009005010.tif 000002
【特許請求の範囲】
【請求項１】
文字以外の配置、色および形状の少なくとも一つの特徴を有する操作部を備えた操作手段と、
前記操作部と一対一に対応し、その対応関係を前記少なくとも一つの特徴を基に視覚的に特定可能であり、且つ割り当て機能をユーザが把握可能なアイコンをディスプレイに表示し、操作された前記操作部を指定する操作信号を前記操作手段から受信すると、当該操作信号が示す前記操作部に割り当てられたコマンドを実行する処理手段と
を有する電子機器。
【請求項２】
前記操作手段は、前記ディスプレイ上でカーソルを移動するカーソル移動部を備え、
前記処理手段は、
前記アイコンと共に、当該アイコンに対応付けられた前記コマンドに対応付けられたカーソル指定用アイコンを前記ディスプレイに表示し、
前記カーソル移動部で指定された位置を示す操作信号を前記操作手段から受信すると、当該操作信号が示す前記カーソル移動部で指定された位置に割り当てられたコマンドを実行する
請求項１に記載の電子機器。
【請求項３】
前記処理手段は、複数の操作モードのうち、指定された前記操作モードに対応した複数の前記アイコンを前記ディスプレイに表示し、
前記操作手段から前記操作信号を受信すると、当該操作信号が示す前記操作部に前記指定された操作モードにおいて割り当てられた前記コマンドを実行する
請求項１または請求項２に記載の電子機器。
【請求項４】
文字以外の配置、色および形状の少なくとも一つの特徴を有する操作部と一対一に対応し、その対応関係を前記少なくとも一つの特徴を基に視覚的に特定可能であり、且つ割り当て機能をユーザが把握可能なアイコンをディスプレイに表示する表示工程と、
前記表示工程で前記ディスプレイに前記アイコンを表示した状態で、操作された前記操作部を検出する操作検出工程と、
前記操作検出工程で操作が検出された前記操作部に割り当てられたコマンドを実行するコマンド実行工程と
を有するデータ処理方法。
【請求項５】
文字以外の配置、色および形状の少なくとも一つの特徴を有する操作部と一対一に対応し、その対応関係を前記少なくとも一つの特徴を基に視覚的に特定可能であり、且つ割り当て機能をユーザが把握可能なアイコンをディスプレイに表示する表示手順と、
前記表示手順で前記ディスプレイに前記アイコンを表示した状態で、操作された前記操作部を検出する操作検出手順と、
前記操作検出手順で操作が検出された前記操作部に割り当てられたコマンドを実行するコマンド実行手順と
をコンピュータに実行させるプログラム。
【発明の詳細な説明】
【技術分野】
【０００１】
本発明は、ＧＵＩと操作部に特徴を有する電子機器、データ処理方法およびプログラムに関する。
【背景技術】
【０００２】
近年、ＡＶ機器のデジタル化に伴い編集作業や特殊再生などが容易に実現できるようになったことで、ＡＶ機器に搭載されるＧＵＩ（グラフィックユーザインターフェース）やリモートコントローラー（以下、リモコンと呼ぶ）が複雑化している。ユーザは、デジタルＡＶ機器を操作するために、取扱説明書を熟読し、操作を試すなど、ＧＵＩやリモコンの複雑化の傾向が進めば進むほど、より多くの学習が要求されるようになっている。このように、ＧＵＩやリモコンの複雑化で、ユーザのＡＶ機器操作に対する負担が増加していると考えられる。
従来技術では、複雑化したＧＵＩをリモコンで操作する際に、リモコンの左右上下ボタンを押して決定ボタンを押すという動作を、１個のボタン、いわゆるショートカットボタンを用意することで簡略化することを実現している。例えば、ユーザが、テレビ番組表のＧＵＩの内部を移動したい場合は、円形のカーソルキーを指などで上下左右に操作してカーソルを画面上で移動し、選択したいアイコン上にカーソルが位置した状態で前記円形カーソルキーの中央部に配置された決定キーを押す。次のページの情報を取得したい場合、ユーザがいろいろなボタンを押すことなく、ページ切換キーを押すことにより、次のページが取得できる。
つまり、従来技術は、複雑化するＧＵＩを操作する際に、上下左右ボタンのみを使用することはユーザのボタン操作が増えることになり使いにくいインターフェースとなるので、ページ切換キーのようなショートカットボタンを備えることで、ユーザのボタン操作を簡略化し使いやすいインターフェースを提供することを目的としている。
【０００３】
【特許文献１】特開２００６−９４４１０
【発明の開示】
【発明が解決しようとする課題】
【０００４】
しかしながら、前述した従来技術は、ユーザのボタン操作による簡略化は実現することができたが、ページ切換キーが何の操作を意味しているかということをユーザが知るためには、取扱説明書を読み、ユーザ自らの学習が必要である。今後、デジタル化でＧＵＩの操作が複雑化していく場合、従来技術では、機器を使いこなすためにユーザの学習する時間が増え、機器に疎いユーザにとっては負担がかなり増加する。
また、従来技術では、操作系の増加と共にリモコンが複雑になる、取扱説明書のページ数が増加するということが考えられる。
例えば、動画コンテンツを制御するＧＵＩを考えると、従来技術では、”一時停止”を制御する場合、ＧＵＩ上の一時停止ボタンを押すか、リモコン上に一時停止を意味するショートカットボタンを作成する必要があり、制御系が増加することによりリモコンのボタンが増加し複雑になることが考えられる。
もしくは、リモコンを複雑にしないためにショートカットをなくしＧＵＩ上で操作させる方法が考えられる。前述ＧＵＩのみで操作を行う場合、ＧＵＩの構成を複雑にする必要があり、ＧＵＩに消費されるメモリ量などが増加することが考えられる。
【０００５】
本発明は、上述した従来技術の問題に鑑みてなされ、ディスプレイに表示されたアイコンを基に、ユーザが当該アイコンに対応した操作部と、その機能を特別な学習をすることなく容易に特定可能な電気機器、データ処理方法およびプログラムを提供することを目的とする。
【課題を解決するための手段】
【０００６】
上述した従来技術の問題点を解決し、上述した目的を達成するために、第１の観点の発明の電子機器は、文字以外の配置、色および形状の少なくとも一つの特徴を有する操作部を備えた操作手段と、前記操作部と一対一に対応し、その対応関係を前記少なくとも一つの特徴を基に視覚的に特定可能であり、且つ割り当て機能をユーザが把握可能なアイコンをディスプレイに表示し、操作された前記操作部を指定する操作信号を前記操作手段から受信すると、当該操作信号が示す前記操作部に割り当てられたコマンドを実行する処理手段とを有する。
【０００７】
第１の観点の発明の電子機器では、文字以外の配置、色および形状の少なくとも一つの特徴を有する操作部を備えた操作手段をユーザが操作する。
そして、処理手段が、前記操作部と一対一に対応し、その対応関係を前記少なくとも一つの特徴を基に視覚的に特定可能であり、且つ割り当て機能をユーザが把握可能なアイコンをディスプレイに表示する。
そして、前記処理手段が、操作された前記操作部を指定する操作信号を前記操作手段から受信すると、当該操作信号が示す前記操作部に割り当てられたコマンドを実行する。
このように、第１の観点の発明の電子機器では、文字以外の配置、色および形状の少なくとも一つの特徴を操作部に持たせると共に、当該操作部と一対一に対応し、その対応関係を前記少なくとも一つの特徴を基に視覚的に特定可能であり、且つ割り当て機能をユーザが把握可能なアイコンをディスプレイに表示する。そのため、ユーザは、文字以外の配置、色および形状の少なくとも一つの特徴を基に、操作部とアイコンとの対応関係を容易に特定できると共に、アイコンを見ることでそのアイコンに割り当てられた機能も即座に特定できる。これにより、ユーザは、マニュアルを見ることなく、容易にコマンドを入力できる。
【０００８】
また、好適には、第１の観点の発明の電子機器は、前記操作手段は、前記ディスプレイ上でカーソルを移動するカーソル移動部を備え、前記処理手段は、前記アイコンと共に、当該アイコンに対応付けられた前記コマンドに対応付けられたカーソル指定用アイコンを前記ディスプレイに表示し、前記カーソル移動部で指定された位置を示す操作信号を前記操作手段から受信すると、当該操作信号が示す前記カーソル移動部で指定された位置に割り当てられたコマンドを実行する。
このようにカーソル移動部と組み合わせることで、操作手段を用いたユーザによるコマンド入力をより便利にできる。
【０００９】
また、好適には、第１の観点の発明の電子機器は、前記処理手段は、複数の操作モードのうち、指定された前記操作モードに対応した複数の前記アイコンを前記ディスプレイに表示し、前記操作手段から前記操作信号を受信すると、当該操作信号が示す前記操作部に前記指定された操作モードにおいて割り当てられた前記コマンドを実行する。
このように本発明を複数の操作モードを備えた場合に適用することで、複数の操作モード間で、操作部を共用可能になり、操作部の数を少なくできる。
【００１０】
第２の観点の発明のデータ処理方法は、文字以外の配置、色および形状の少なくとも一つの特徴を有する操作部と一対一に対応し、その対応関係を前記少なくとも一つの特徴を基に視覚的に特定可能なアイコンをディスプレイに表示する表示工程と、前記表示工程で前記ディスプレイに前記アイコンを表示した状態で、操作された前記操作部を検出する操作検出工程と、前記操作検出工程で操作が検出された前記操作部に割り当てられたコマンドを実行するコマンド実行工程とを有する。
【００１１】
第３の観点の発明のプログラムは、文字以外の配置、色および形状の少なくとも一つの特徴を有する操作部と一対一に対応し、その対応関係を前記少なくとも一つの特徴を基に視覚的に特定可能なアイコンをディスプレイに表示する表示手順と、前記表示手順で前記ディスプレイに前記アイコンを表示した状態で、操作された前記操作部を検出する操作検出手順と、前記操作検出手順で操作が検出された前記操作部に割り当てられたコマンドを実行するコマンド実行手順とをコンピュータに実行させる。
【発明の効果】
【００１２】
本発明によれば、ディスプレイに表示されたアイコンを基に、ユーザが当該アイコンに対応した操作部と、その機能を特別な学習をすることなく容易に特定可能な電気機器、データ処理方法およびプログラムを提供することができる。
【発明を実施するための最良の形態】
【００１３】
以下、本発明の実施形態について図面を参照し説明する。
図１は、本発明の実施形態のブロック図である。図１において、テレビ受像機（デジタルテレビジョン放送受信装置）１０は、例えば、ハードウェアとしてディスプレイ１０１、フロントエンド処理回路１０２、メモリ１０３、デコーダ１０４、メイン処理回路２０を有する。メイン処理回路２０は、制御部２０１、ＧＵＩ作成部２０２、ＤＢＳアプリケーションプロセス２０３、ＤＬＮＡプロセス２０４、通信部２０５を有する。他に、リモコン３０１、サーバ３０２、アンテナ３０３を示す。
リモコン３０１が本発明の操作手段の一例であり、ディスプレイ１０１がディスプレイの一例であり、テレビ受像機１０が電子機器の一例であり、制御部２０１、ＧＵＩ作成部２０２が処理手段の一例である。
また、図２はテレビ受像機のリモートコントローラである。図２のボタンＢＴＢ、ボタンＢＴＲ、ボタンＢＴＧ、ボタンＢＴＹ等が操作部の一例であり、ボタンＢＴＵＰ、ボタンＢＴＬＴ、ボタンＢＴＤＮ、ボタンＢＴＲＴ等がカーソル操作部の一例である。
また、図３はテレビ受像機に表示されるＧＵＩを示す図である。図３のアイコンＩＣＮＢＡ、アイコンＩＣＮＲＡ、アイコンＩＣＮＧＡ、アイコンＩＣＮＹＡ等がアイコンの一例であり、アイコンＩＣＮ１Ａ、アイコンＩＣＮ２Ａ、アイコンＩＣＮ３Ａ、アイコンＩＣＮ４Ａがカーソル指定用アイコンの一例である。
【００１４】
リモコン３０１より操作モードを指定する信号が出力されると、制御部２０１は当該信号を受信し、当該信号を基にメモリ１０３から操作モードに対応したＧＵＩ情報を選択する。ＧＵＩ作成部２０２は、当該ＧＵＩ情報を基にＧＵＩを作成し、ディスプレイ１０１に表示する。
上記ＧＵＩ上に配置されるアイコンと一対一に対応する操作部に対して、操作された操作部を指定する操作信号を制御部２０１が受信し、制御部２０１は当該操作信号と操作モード情報の組み合わせでメモリ上に保持されているテーブル情報を参照し、実行すべきコマンドを決定する。
制御部２０１は、当該コマンドに応じた要求等のデータを各機器に出力する。
このように、操作モードと操作信号の組み合わせにより割り当てられたコマンドを実行するという仕組みを実現することにより、同一の操作で異なる処理を行うことが可能となる。
また、リモコン３０１とディスプレイ１０１上に表示されるＧＵＩにおいて、文字以外の配置、色および形状の少なくとも一つの特徴を基に、操作部とアイコンとの対応関係を容易に特定できると共に、アイコンがその割り当て機能をユーザが把握可能なものであるため、アイコンを見ることでそのアイコンに割り当てられた機能も即座に特定できる。これにより、ユーザは、マニュアルを見ることなく、容易にコマンドを入力できる。
【００１５】
以下、図１に示す各構成要素を説明する。
テレビ受像機１０は、例えば、ディスプレイ１０１、受信したデジタル放送信号に対し復調等の処理を施すフロントエンド処理回路１０２、デコーダ１０４、メモリ１０３、メイン処理回路２０を有し、本実施形態では、ネットワーク経由のデータを受信し、コンテンツを視聴することのできるデジタルテレビを想定している。なお、チューナーを取り付け、放送を受信し、コンテンツを視聴できるようなデジタルテレビであってもよい。
【００１６】
リモコン３０１は、例えば、図２に示すように、ボタングループＢＴＧ０１、及びボタングループＢＴＧ０３のように、配置、及び配色に特徴あるボタン群を有する。
ボタングループＢＴＧ０１は、ボタンＢＴＹ１、ボタンＢＴＹ２、ボタンＢＴＹ３、ボタンＢＴＹ４
の、全部で４つのボタンが横一列に配置され、ボタンの色は全て黄色であり、色が特徴的なボタン群である。
ボタングループＢＴＧ０３は、ボタンＢＴＢ、ボタンＢＴＲ、ボタンＢＴＧ、ボタンＢＴＹの、全部で４つのボタンが横一列に配置され、左から順に、”青”、”赤”、”緑”、”黄”の色である。これは、デジタル放送を受信する機器のリモコンには標準搭載されているボタンであり、色の順序、色使いが統一されていることからも特徴あるボタン群である。
【００１７】
本実施形態では、配置、及び配色に特徴のあるリモコンを示したが、その他に形状（ハート、クローバ、ダイヤ、スペード等）等に特徴のあるリモコンを使用してもよい。
また、ボタングループＢＴＧ０１、ボタングループＢＴＧ０２、ボタングループＢＴＧ０３、ボタングループＢＴＧ０４をそれぞれ単独で使用してもよいし、いずれかを組み合わせたり、もしくは全てを使用して、より豊富な操作系を実現してもよい。
なお、本実施形態のリモコンボタンの操作系は、操作モード（動画像、静止画像、音楽）によって異なり、同じボタンを異なる処理系で使いまわすことが可能となっている。
【００１８】
サーバ３０２は、デジタル・コンテンツの保存や配信といった機能を備えたＤＭＳ(Digital Media Server)であり、テレビ受像機１０が当該コンテンツの再生を行うＤＭＰ(Digital Media
Player）となる。
ホームネットワークは、有線ＬＡＮや無線ＬＡＮ，ＩＰｖ４，ＵＰｎＰ（universal plug and play）などのネットワークである。
サーバ３０２としては、パソコンやセットトップ・ボックス，デジタル・カメラやビデオ・カメラ，多機能な携帯電話機などがある。
【００１９】
フロントエンド処理回路１０２は、アンテナ３０３で受信したデジタル放送信号にフロントエンド処理を施す。
当該デジタル放送信号は、映像データ、音声データに加えて、番組情報等の付加データを多重化した信号であり、例えば、地上デジタルテレビ放送に利用されるＭＰＥＧ２のＴＳ（Ｔｒａｎｓｐｏｒｔ
Ｓｔｒｅａｍ）により実現される信号である。
フロントエンド回路１０２は、受信した放送波に復調等の処理を行ない、ＴＳを生成する。
そして、フロントエンド回路１０２は、当該ＴＳを、オーディオストリーム（ＡＳ）、ビデオストリーム（ＶＳ）、番組情報等を含むセクションデータ（Ｓ）に分離してメイン処理回路２０に出力する。
【００２０】
メイン処理回路２０は、例えば、制御部２０１、ＧＵＩ作成部２０２、ＤＢＳアプリケーションプロセス２０３、ＤＬＮＡプロセス２０４、通信部２０５を有し、当該機能を適宜起動する。
【００２１】
制御部２０１は、テレビ受像機１０の全体の機能を制御する。例えば、通信部２０５より動画像データが入力された場合、デコーダ１０４へデータを出力する。あるいはＤＢＳアプリケーションプロセス２０３やＤＬＮＡプロセス２０４が受信したデータをデコーダへ出力するよう促す。
また、リモコン３０１から操作モードの信号を受信し、メモリ１０３から当該操作モードに応じたＧＵＩ作成情報を取得し、ＧＵＩ作成部がＧＵＩ作成する等の機能を制御する。
上記操作モードに応じた操作信号をリモコン３０１から受信し、当該操作信号に応じた処理を行う。
【００２２】
ＧＵＩ作成部２０２は、メモリ１０３に格納されている情報を基に、ユーザが指定した操作モードに対応したＧＵＩを作成し、ディスプレイ１０１に表示する。
上記操作モードには、例えば、動画操作モード、静止画操作モード、及び音楽操作モード等があり、表１は各操作モードに対しユーザが使用する操作系の一例を示す。
なお、本実施形態では、表１に記載した操作系を用いるが、他の操作系（例えば、動画コンテンツに関して”表示画面の画像サイズの切り替え”等）があってもかまわない。
また、本実施形態では、動画操作、静止画操作、及び音楽操作に関して記述するが、他の操作（例えば、録画予約の操作等）でもかまわない。
【００２３】
【表１】
2009005010.tif 000003
【００２４】
表１は、プレーヤーのコマンド一例を示すものである。
ＧＵＩ作成部２０２が、動画操作モード時に作成するＧＵＩの構成について、図３を使用し説明する。
当該ＧＵＩは、コントロールパネルの下地パネルＰＮＬ１Ａ、プレーヤーの状態を表示する状態パネルＰＮＬ２Ａ、一時停止を示すアイコンＩＣＮ１Ａ、巻き戻し（早戻し）を示すアイコンＩＣＮ２Ａ、早送りを示すアイコンＩＣＮ３Ａ、停止を示すアイコンＩＣＮ４Ａ、再生を示すアイコンＩＣＮ５Ａを有する。
また、アイコンＩＣＮ２Ａと同じ操作系を意味するアイコンＩＣＮＢＡ、アイコンＩＣＮ１Ａと同じ操作系を意味するアイコンＩＣＮＲＡ、アイコンＩＣＮ５Ａと同じ操作系を意味するアイコンＧＡ、アイコンＩＣＮ３Ａと同じ操作系を意味するアイコンＩＣＮＹＡを有する。
上記のとおり、本実施形態で用いる動画操作用ＧＵＩは、全部で１１個のパネルとアイコンで構成され、ディスプレイ１０１に表示される。
【００２５】
当該ＧＵＩにおいて、ユーザの使用できる操作系は、再生・一時停止・停止・巻き戻し・早送りの５種類であるが、使用するボタン・ボタングループの組み合わせを追加、変更等によって、操作系の数を増やすなど、構成を変えてもよい。
【００２６】
図３に示されている再生・一時停止・停止・巻き戻し・早送りの各デザインは、ごく一般的に使用されているユニバーサルデザインであり、今日のＡＶ機器ユーザは、老若男女問わず、図３記載の再生・一時停止・停止・巻き戻し・早送りデザインを見れば、そのデザインがどの操作系を意味するかを理解することは容易である。
【００２７】
図３に示されているアイコンＩＣＮＢＡ、アイコンＩＣＮＲＡ、アイコンＩＣＮＧＡ、及びアイコンＩＣＮＹＡはリモコンのボタングループＢＴＧ０３にある各ボタンで制御可能だが、ユーザが視覚的に容易に認識できるように、アイコンＩＣＮＢＡ、アイコンＩＣＮＲＡ、アイコンＩＣＮＧＡ、及びアイコンＩＣＮＹＡに、前述したボタンの配置、配色と同じになるようにそれぞれ左から順に、”青”、”赤”、”緑”、”黄”の色をつけ、操作系を意味するデザインを付加した。
【００２８】
ユーザは、例えば、青ボタンを押すことで動画像の巻き戻し、赤ボタンを押せば動画像の一時停止、緑ボタンを押せば動画像の再生、黄ボタンを押せば動画像の早送りの制御を実現することができる。
本実施形態のＧＵＩを使用することで、ユーザは学習することなく、１回のアクションで実行できる。また図３のＧＵＩが消去した状態の場合でも、ユーザはリモコンのボタングループＢＴＧ０３の各ボタン（青、赤、緑、黄ボタン等）により操作系を制御することが可能となる。
【００２９】
図３に示されているアイコンＩＣＮ１Ａ〜５Ａは、リモコンのボタングループＢＴＧ０４にある上下左右決定ボタン（ＢＴＵＰ、ＢＴＤＮ、ＢＴＬＴ，ＢＴＲＴ、ＢＴＥＮＴ）で制御可能だが、前述のとおり、同じ制御系を意味するボタングループＢＴＧ０３の各ボタンを使用しても同等の制御を行うことができる。
【００３０】
静止画操作モードでは、図４に示されているように、パネルＰＮＬ２Ｂは静止画操作の状態（スライドショー中、等）を表示し、アイコンＩＣＮ１Ｂはスライドショーの停止、アイコンＩＣＮ２Ｂは前の静止画コンテンツの要求、アイコンＩＣＮ３Ｂは次の静止画コンテンツの要求、アイコンＩＣＮ５Ｂはスライドショーの開始、アイコンＩＣＮＢＢは上記アイコンＩＣＮ２Ｂと同等の要求、アイコンＩＣＮＲＢは上記アイコンＩＣＮ１Ｂ同等の要求、アイコンＩＣＮＹＢは上記アイコンＩＣＮ３Ｂと同等の要求、アイコンＩＣＮＧＢは上記アイコンＩＣＮ５Ｂと同等の要求等を示す。その他は動画操作モードと同様の要求等を示す。
【００３１】
また、音楽操作モードでは、図５に示されているように、アイコンＩＣＮＲＣは動画・静止画モードと同様の停止、アイコンＩＣＮ６Ｃは前の音楽コンテンツの要求、アイコンＩＣＮ７Ｃは次の音楽コンテンツの要求等を示す。その他は動画・静止画操作モードと同様の要求等を示す。
【００３２】
メモリ１０３は、各操作モードに対応したＧＵＩの定義情報を保持し、当該ＧＵＩの定義情報を基にＧＵＩ作成部２０２がＧＵＩを作成する。
また、選択された操作モードにおけるＧＵＩ上のアイコンと、リモコン操作部に割り当てられたコマンドの一対一に対応付けられたテーブル情報を保持し、当該テーブル情報を基に制御部２０１は必要な処理を行う。
【００３３】
ＤＢＳアプリケーションプロセス２０３は、テレビ放送用受信ビットストリームの再生機能を有するプロセスである。
ＤＢＳアプリケーションプロセス２０３は、例えば、フロントエンド処理回路１０２から入力したストリームをデコーダ１０４に出力してデコードさせて、ディスプレイ１０１に出力する機能を有する。
【００３４】
ＤＬＮＡプロセス２０４は、例えば、テレビ受像機１０に対してホームネットワークを介し接続されているサーバ３０２から通信部２０５を通じで受信したコンテンツを、デコーダ１０４に出力してデコードさせてストリーム再生等をするプロセスである。
【００３５】
通信部２０５は、サーバ３０２とデータのやり取りを行い、データを制御部２０１またはサーバ３０２に出力する。
【００３６】
ディスプレイ１０１は、ＤＢＳアプリケーションプロセス２０３やＤＬＮＡプロセス２０４によって出力されたコンテンツ等を表示する。また、ＧＵＩ作成部２０２によって作成されたＧＵＩを表示する。
なお、表示デバイスに液晶パネルを使用したが、これに限らない。
【００３７】
デコーダ１０４は、制御部２０１より、あるいはＤＢＳアプリケーションプロセス２０３やＤＬＮＡプロセス２０４から入力されるデータをデコードし、復号したデータを上記プロセスへ返す。本実施形態では、動画像、静止画像、及び音楽データをデコードできるとしているが、他のデータのデコード処理を行ってもよい。
【００３８】
以下、本発明の動作例について説明する。
なお、本動作例では動画操作用ＧＵＩ、静止画操作用ＧＵＩ、及び音楽操作用ＧＵＩを説明するが、特徴ある操作系と特徴あるボタンを視覚的に結びつけたＧＵＩであれば、他の用途のＧＵＩであってもかまわない。
【００３９】
［動画操作の動作例］
以下、動画コンテンツを操作する際の動作について説明する。
図６は、コンテンツを操作する際の動作について説明するためのフローチャートである。
ＤＢＳアプリケーションプロセス２０３またはＤＬＮＡプロセス２０５によりディスプレイ１０１に表示されるコンテンツに対して、リモコン３０１から、制御部２０１が操作要求の信号を受信すると、制御部２０１は、ＧＵＩ表示を要求するための操作がなされたかを判断し（ステップＳＴ０１）、上記操作があると判断した場合に、どの操作モードが指定されたかを判断する（ステップＳＴ０２）。
【００４０】
動画操作モードが選択された場合、制御部２０１はメモリ１０３上に保持されている当該操作モードに対応したＧＵＩ作成情報を取得し（ステップＳＴ０３）、ＧＵＩ作成部２０２は当該情報を基に動画操作用ＧＵＩを作成し、ディスプレイ１０１に表示する（ステップＳＴ０４）。
【００４１】
制御部２０２が、ディスプレイ１０１上に表示されたＧＵＩに対応した、リモコン３０１からの操作要求の信号を受信すると、制御部２０１は、ショートカットキー操作部が操作されたのか、カーソルキー操作部が操作されたのかを判断する。（ステップＳＴ０９）
【００４２】
ショートカットキー操作部の信号を受信した場合、制御部２０１は、メモリ１０３上のテーブル情報から、選択されている操作モードに対応し当該操作部に割り当てられたコマンド情報を取得し、制御部２０１は当該情報を基に必要な処理を行う。（ステップＳＴ１０）
【００４３】
カーソルキーの信号を受信した場合、制御部２０１は、どの方向へカーソルを移動するべきかを判断し、ＧＵＩ作成部（あるいは別の機能）がカーソルの位置をディスプレイ１０１に表示する。（ステップＳＴ１１）
【００４４】
制御部２０１が位置を決定する信号を受信した場合、メモリ１０３上のテーブル情報から、選択されている操作モードに対応し、指定された位置に割り当てられたコマンド情報を制御部２０１が取得し、さらに、制御部２０１は当該情報を基に必要な処理を行う。（ステップＳＴ１２）
【００４５】
［静止画操作の動作例］
次に、静止画コンテンツを操作する際の動作について説明する。
図６の、フローチャートに示されるとおり、ステップＳＴ０５、ステップＳＴ０６以外のフローは上記動画コンテンツ操作のフローと同様である。
【００４６】
静止画操作モードが選択された場合、制御部２０１はメモリ１０３上に保持されている当該操作モードに対応したＧＵＩ作成情報を取得し（ステップＳＴ０５）、ＧＵＩ作成部２０２は当該情報を基に動画操作用ＧＵＩを作成し、ディスプレイ１０１に表示する（ステップＳＴ０６）。
【００４７】
［音楽操作の動作例］
次に、音楽コンテンツを操作する際の動作について説明する。
図６の、フローチャートに示されるとおり、ステップＳＴ０７、ステップＳＴ０８以外のフローは上記動画コンテンツ・静止画コンテンツ操作のフローと同様である。
【００４８】
音楽操作モードが選択された場合、制御部２０１はメモリ１０３上に保持されている当該操作モードに対応したＧＵＩ作成情報を取得し（ステップＳＴ０７）、ＧＵＩ作成部２０２は当該情報を基に動画操作用ＧＵＩを作成し、ディスプレイ１０１に表示する（ステップＳＴ０８）。
【００４９】
従来技術の使用では、動画用ＧＵＩ、静止画用ＧＵＩ、及び音楽用ＧＵＩを作成した場合、ユーザは、各処理系のショートカットボタンをリモコンに取り付けるか、上下左右ボタンを使用して操作系を制御するかのどちらかになり、前者の場合、リモコンに搭載されるボタン数が増加するので、取扱説明書などで確認しながらの作業が必要であり、後者の場合は、数回のボタンアクションが必要である。
これに対し、本実施形態では、リモコンに搭載されている特徴的なボタンを使用し、操作部とアイコンとの対応関係を容易に特定できると共に、アイコンを見ることでそのアイコンに割り当てられた機能も即座に特定できる。また、操作モードと操作信号の組み合わせにより割り当てられたコマンドを実行するという仕組みを実現することにより、同一の操作で異なる処理を行うことが可能となる。結果、ユーザは数回のアクションが必要であったコマンドを１回のアクションで行うことができ、かつ、取扱説明書の熟読をせずに機器操作を行うことができ、さらにリモコンへのボタン追加がない。また、本実施形態では、ユニバーサルデザインの操作系のアイコンを使用することにより、各地域、言語に応じた対応をする必要がなく、開発効率の向上も期待できる。
【００５０】
＜本発明の実施形態の変形例＞
本発明は上述した実施形態には限定されない。
すなわち、上述した実施形態の各要素に関し、様々な変更、コンビネーション、並びに代替を行ってもよい。
【００５１】
本実施形態では、ＧＵＩ作成と表示にテレビ受像機を例示したが、パーソナルコンピュータ等のＧＵＩを作成し表示可能な機構をもついかなる電気機器で実現してもよい。
【００５２】
また、操作手段にリモコンを使用したが、当該リモコンは、一般的に市場に出回っているものも適用可能である。また、ボタンを備えず、タッチパネルのようなものでもよい。さらに、リモコンというものに限定されず、操作部を備えるものであれば、いかなる機器であってもよい。
【００５３】
本実施形態では、図３、図４、図５で示すようなＧＵＩを使用したが、当該図面で示されるパネル、アイコン全てを使用する必要はなく、各パネル、各アイコンが単独で表示されていてもよいし、またそれぞれの組み合わせが表示されていてもよい。また、カーソル操作部のみが表示されていてもよいし、ショートカット操作部のみが表示されていてもよい。
【００５４】
また、本実施形態では、図３、図４、図５で示すように、特徴ある４つのアイコンにそれぞれ、再生・一時停止・早送り・巻き戻しのユニバーサルデザインを対応させたが、例えば、再生・停止・一時停止・巻き戻しなどのように組み合わせは任意でよい。また、各操作系を意味するデザインをアイコン上に付加したが、当該デザインでなくてもユーザが操作系を認識できるものであれば、これに限らない。
【００５５】
また、図２に示すボタングループＢＴＧ０１やボタングループＢＴＧ０３に含まれるような特徴あるボタンが存在しない場合は、ボタングループＢＴＧ０２のボタンように、ＡＶ機器のリモコンに一般的に搭載されている数字ボタン等を利用してもよい。利用例を図７に示す。
図７は、リモコンの数字ボタンをベースに作成し表示されたＧＵＩを示しており、上記数字ボタンのアイコン上に、ユニバーサルデザインされた透過性のある操作系のデザインを貼り付けている。図７において、アイコンＩＣＮ１〜７は、図３〜図５に示すような同じ操作系のデザインのアイコンに対応するものである。例えば、アイコンＩＣＮ１は一時停止、アイコンＩＣＮ２は巻き戻し、アイコンＩＣＮ３は早送り、アイコンＩＣＮ４は停止、アイコンＩＣＮ５は再生、アイコンＩＣＮ６は前のコンテンツの要求、アイコンＩＣＮ７は次のコンテンツの要求等を、それぞれ示す。なお、上記利用例では、数字ボタンであることを視覚的に認識するために、数字ボタンをそのままＧＵＩで表現し、その上に透過性のあるデザインを貼り付ける形式であるが、数字ボタンなどをデフォルメするなどして簡略化し表示してもよい。
【産業上の利用可能性】
【００５６】
ＧＵＩを備えた表示システムに用いて適用できる。
【図面の簡単な説明】
【００５７】
【図１】本発明の実施形態におけるテレビ受像機の主要な機能を説明するために示すブロック図である。
【図２】実施形態におけるテレビ受像機のリモートコントローラを説明するために示す外観図である。
【図３】図１のテレビ受像機に表示される動画操作用ＧＵＩを示す図である。
【図４】図１のテレビ受像機に表示される静止画操作用ＧＵＩを示す図である。
【図５】図１のテレビ受像機に表示される音楽操作用ＧＵＩを示す図である。
【図６】実施形態における、主要な機能のフローを説明するために示すフローチャートである。
【図７】図１のテレビ受像機に表示される、数字ボタンをベースとしたＧＵＩを示す図である。
【符号の説明】
【００５８】
１０…テレビ受像機（デジタルテレビジョン放送受信装置）、１０１…ディスプレイ、１０２…フロントエンド処理回路、１０３…メモリ、１０４…デコーダ、２０…メイン処理回路、２０１…制御部、２０２…ＧＵＩ作成部、２０３…ＤＢＳアプリケーションプロセス、２０４…ＤＬＮＡプロセス、２０５…通信部、３０１…リモコン、３０２…サーバ、３０３…アンテナ
【図１】
2009005010.tif 000004
【図２】
2009005010.tif 000005
【図３】
2009005010.tif 000006
【図４】
2009005010.tif 000007
【図５】
2009005010.tif 000008
【図６】
2009005010.tif 000009
【図７】
2009005010.tif 000010